(57)【要約】      （修正有）【課題】把持部と電池或いは地域配電網により給電される複数の光源とを有し、把持部を含み、回転できる携帯型多目的ランプを提供する。【解決手段】ハウジング1と、第一の光源2と、回路部8と、把持部11とを含む携帯型多目的ランプを提供する。把持部は光源を有し、スポットライトが回転可能にハウジングと接続される。把持部は、第一の位置と第二の位置との間に所定の角度を回転することができる。把持部は、第一の位置にハウジングと平行し、通常の照明方式を提供し、第二の位置にハウジングと垂直し、他の照明方式を提供する。スポットライトは、回転・調整可能により、任意の角度での照明を提供することができる。【選択図】図３
0003114446.tif 000002
【実用新案登録請求の範囲】
【請求項１】
ハウジングと、
前記ハウジングの端部に設置され、電球と、放物面状の反射鏡と、透明材料からなるフロント・パネルから構成される第一の光源と、
前記ハウジング内に設置され、前記第一の光源と電気的に接続される回路部と、
一端が前記ハウジングと接続される把持部と、
を有し、
前記把持部は、光源を含み、前記ハウジングに対して調整され、第一の位置または第二の位置に位置可能であり、
スポットライトが、回転可能に前記ハウジングと接続される
携帯型多目的ランプ。
【請求項２】
前記ハウジングは、ハウジング・フランジ・ワッシャを有し、
前記把持部は、柱状の接続軸により回転可能に当該ハウジング・フランジ・ワッシャに固定され、前記ハウジングに対して前記第一の位置と前記第二の位置との間に回転可能である
請求項１に記載の携帯型多目的ランプ。
【請求項３】
前記把持部は、前記第一の位置に前記ハウジングと平行し、前記第二の位置に前記ハウジングと垂直する
請求項２に記載の携帯型多目的ランプ。
【請求項４】
前記把持部には、第二の光源と第三の光源が設置され、
前記第二の光源は、前記把持部の他の端部に設置され、透明材料からなる遮蔽部と、当該遮蔽部の後向に位置する放物面状の反射鏡と、当該反射鏡の中心部に位置するSOS信号を発信するフラッシュライトとを含み、
前記第三の光源は、前記把持部の中心部に設置され、透明材料からなる遮光部と、当該遮光部の後向に位置するパネルと、当該パネルの中心部と端部に固定される冷陰極灯を含む
請求項1から3のいずれかに記載の携帯型多目的ランプ。
【請求項５】
前記スポットライトは、前記ハウジングに取り付けられる可動な接続部、リング状のガイド及び接続軸により、前記ハウジングと接続され、
前記可動な接続部は、その内表面にギアの歯を有し、前記接続軸と接続される前記ガイドの外周表面から延伸される少なくとも一つの接触ギアと噛み合わせる
請求項1から3のいずれかに記載の携帯型多目的ランプ。
【請求項６】
前記回路部は、前記パネルの下方に設置され、前記第二の光源と前記第三の光源に電力を供給する
請求項4に記載の携帯型多目的ランプ。
【請求項７】
前記スポットライトは、電球と、放物面状の反射鏡と、透明材料からなるフロント・パネルを含む
請求項5に記載の携帯型多目的ランプ。
【請求項８】
前記スポットライトは、ハイテク・スーパ・パワー・スポットライトである
請求項4に記載の携帯型多目的ランプ。
【考案の詳細な説明】
【技術分野】
【０００１】
本考案は、把持部と電池或いは地域配電網により給電される複数の光源とを有する携帯型多目的ランプに関する。
【背景技術】
【０００２】
一般的に、ランプを使用して夜間監視を行う場合は、高輝度のスポットライトが使われる。通常、遠距離まで所望の視野を有し、且つ信頼性・耐久性・保守性が良いスポットライトが要求される。
【０００３】
従来の技術は、この種のランプに給電する電源に関するものが多い。また、この種のランプは、主に手持ちで使用され、或いは、テーブル・フロアや帽子などに設置されて使用されるため、ランプの照明角度を改善する技術は少ない。しかし、所定の角度を回転できるランプは必要である。
【０００４】
米国特許第6685337号は、フラッシュライトと蝋燭との組み合わせで、電池や他の電力が切れていても、発光し続けるランプを開示している。しかし、蝋燭の照明範囲、照明角度及び照明強度は小さいので、このランプは、広い範囲での使用に適しない。
【０００５】
米国特許第6629767号は、ランプに含まれる電池に緩衝装置を設け、電池に対する損傷を避けるランプを開示している。しかし、この技術は、電力の供給を目的としており、照明範囲と照明強度が考慮されていない。
【０００６】
米国特許第6702452号は、三脚架を有するランプを開示している。取り付け部は三脚であるので、携帯型探照灯を他の装置と一緒に地面に固定することができる。また、ハンドルに設置される取り付け部は蝶ねじであり、他の光学探知装置を探照灯に取り付けて、ハウジングに堅く固定されることができる。しかし、このランプは、所定の角度を回転し、広い照明範囲を提供することができない。
【考案の開示】
【考案が解決しようとする課題】
【０００７】
本考案の目的は、把持部を含み、回転できるランプを提供することにある。
【０００８】
本考案の他の目的は、異なる電源により給電されることができるランプを提供することにある。
【課題を解決するための手段】
【０００９】
上述した目的を達成するために、本考案は、ハウジングと、前記ハウジングの端部に位置され、電球と、放物面状の反射鏡と、透明材料からなるフロント・パネルとを含む第一の光源と、前記ハウジングに含まれ、前記第一の光源と電気的に接続される回路部と、一端が前記ハウジングと接続される把持部とを含むランプを提供する。前記把持部は、光源を有し、前記ハウジングに対して調整可能であり、第一の位置或いは第二の位置に位置可能である。スポットライトは、回転可能に前記ハウジングに設置される。
【００１０】
前記ハウジングはハウジング・フランジ・ワッシャを有し、前記把持部は柱状の接続軸により回転可能に前記ハウジング・フランジ・ワッシャと接続される。これにより、前記把持部は、前記第一の位置と前記第二の位置の間に、前記ハウジングに対して回転することができる。
【００１１】
前記把持部は、前記第一の位置に前記ハウジングと平行し、前記第二の位置に前記ハウジングと垂直する。
【００１２】
前記把持部には、第二の光源と第三の光源が設置される。前記第二の光源は、前記把持部の他の端部に設置され、透明材料からなる遮蔽部と、当該遮蔽部の後向に位置する放物面状の反射鏡と、当該反射鏡の中心部に位置するSOS信号を発信するフラッシュライトとを含む。前記第三の光源は、前記把持部の中心部に設置され、透明材料からなる遮光部と、当該遮光部の後側に位置するパネルと、当該パネルの中心部と端部に固定される冷陰極灯を含む。
【００１３】
前記スポットライトは、前記ハウジングに取り付ける可動な接続部、リング状のガイド及び接続軸により、前記ハウジングと接続される。前記可動な接続部は、その内表面にギアの歯を有し、前記接続軸と接続される前記ガイドの外周表面から延伸される少なくとも一つの接触ギアと合わせる。
【００１４】
前記回路部は、前記パネルの下方に設置され、前記第二の光源と前記第三の光源に電力を供給する。
【００１５】
前記スポットライトは、電球と、放物面状の反射鏡と、透明材料からなるフロント・パネルを含む。
【００１６】
前記スポットライトは、ハイテク・スーパ・パワー・スポットライトである。
【考案の効果】
【００１７】
把持部と電池或いは地域配電網により給電される複数の光源とを有する携帯型多目的ランプを提供する。
【考案を実施するための最良の形態】
【００１８】
次に、添付した図面を参照しながら、本考案の好適な実施形態を詳細に説明する。
【００１９】
図1は、本考案のランプの側面図であり、第一の位置での把持部とハウジングを示す。図2は、図1と反対側から見た側面図であり、第一の位置での把持部とハウジングを示す。図3は、図1に示されるランプの断面図である。図4から図8は、図1に示されるランプの底面図、正面図、背面図、側面図及び上面図である。図9と図10は、それぞれ図1に示されるランプの斜視図である。図11と図12は、それぞれ図2に示されるランプの斜視図である。図13は、図2に示されるランプに設置されるスポットライトの構成図である。
【００２０】
図3に示すように、本考案のランプは、略長方形断面柱状のハウジング1を有し、ハウジング1には、電球2、放物面状の反射鏡3及びフロンとガラス或いは他の透明材料からなるパネル4が設けられる第一の光源を含む。シールワッシャ5は、前端環状部6内のフロント・パネル4の内面と反射鏡3の端面とを密封とし、前端環状部6は、取り外し可能にハウジング1の前端に固定される。
【００２１】
また、電球2は電源7より給電され、電源7はハウジング1に設置され、電源コードによりハウジング1内の回路部8と接続される。ソケットとスイッチ10は電球2と接続される。また、電球2が普通電池或いは充電可能な電池により給電される。電源7は、取り外し可能にハウジング1の底部に位置される電池箱36に設置される。外部電源は、電池箱36に設置されても良い。電池箱36の底部は外枠38により密封される。外枠38は、取り外し可能にハウジング1の左或いは右側に位置される金属又はプラスチックのスナップリングにより、ハウジング1の底部に固定される。
【００２２】
略長方形断面柱状の把持部11は、回転可能にハウジング1と接続され、また円柱状の接続軸12により、回転可能にハウジング1のハウジング・フランジ・ワッシャ13に固定される。略長方形断面柱状の把持部スイッチボタン14は、ハウジング・フランジ・ワッシャ13上に設置され、ばね15は、把持部11内に設置される。ハウジング1に位置されるハウジング・フランジ・ワッシャ13は、ハウジング1に固定される。
【００２３】
本考案に、把持部11は、図1と図2に示される第一の位置と第二の位置の間に、ハウジング1に対して回転することができる。図1に示すように、把持部スイッチボタン14の回転アーム16は、把持部11の端部に位置される接続軸12の細長いスロット18に挿入されるため、接続軸12は自由に回転できない。よって、把持部11は、第一の位置にある。外部圧力が把持部スイッチブタン14に加えられるときに、把持部スイッチブタン14の回転アーム16は、接続軸12の細長いスロット18の中心部に位置される丸穴に押し込まれる。これにより、接続軸12は自由に回転することができ、把持部11は第一の位置から第二の位置へ回転する。一方、外部圧力がなくなったときに、把持部スイッチブタン14内のばね15は、把持部スイッチブタン14を元の位置に押し戻すことにより、把持部スイッチブタン14の回転アーム16を接続軸12の細長いスロット18に押し戻す。これにより、接続軸12は、第二の位置に固定されることができるものの、回転することができない。
【００２４】
好ましくは、ハウジング1と接続されるハウジング・フランジ・ワッシャ13が、接続軸12とも接続される。これにより、把持部11を360°回転することができる。
【００２５】
把持部11の後部には、透明材料からなる遮蔽部17と、遮蔽部17の後方に位置される放物面状の反射鏡26と、反射鏡26の中心部に位置されるSOS信号を発信するフラッシュライトとを含む第二の光源を有する。把持部11の中心部には、透明材料からなる遮光部28と、遮光部28の後部に位置されるパネル29と、パネル29の中心部と端部に固定される長寿命冷陰極灯30とを含む第三の光源を有する。パネル29の下方に位置される回路部33は、第二の光源と第三の光源に電力を供給する。
【００２６】
スポットライト19、例えば、ハイテク・スーパ・パワー・スポットライトは、回転可能にハウジング1と接続されて使用される。図13に示すように、可動的な接続部20はハウジング1の下部に設置され、弾性的なリング状のガイド21はスポットライト19の接続軸22にしっかり固定される。スポットライト19の接続軸22とリング状のガイド21とは、回転可能に可動な接続部20のギアの歯24に挿入される。リング状のガイド21の外部の円形の表面から延伸される少なくとも一つの接触ギア25は、ギアの歯24と噛み合わせることにより、スポットライト19は、ハウジング1に対して回転する位置に設置される。ここで、ギアの歯24は、リング状のガイド21の外部の円形の表面に均一に生成される。可動的な接続部20は、スポットライト19の接続軸22と調整可能に接続されることにより、回転可能に折り角度をハウジング1とスポットライト19との間に調整する。これにより、スポットライト19のハウジング1に対しての他の照明角度が提供することができる。スポットライト19には、電球31と、放物面状の反射鏡32と、ガラスまたは他の透明材料からなるフロント・パネル34が含まれる。フロント・パネル34は、前端環状部35内に、反射鏡32の内面と密封される。また、前端環状部35は、取り外し可能にスポットライトの前端と固定される。
【００２７】
言い換えると、図1に示すように、把持部11がハウジング1の第一の位置に位置するときに、本考案のランプは、携帯可能なフラッシュライトとして使用される。図2に示すように、把持部がハウジング1の第二の位置に位置するときに、本考案のランプは、フラッシュライトとして使用されるのみならず、目標を探す或いは多目的照明に用いられるときに、特に便利である。高リスクの作業を行う人、例えば消防者などにとても有用である。
【００２８】
本考案は、ハウジングの下部に設置される角度の調整可能なスポットライト19と、第三の光源として把持部11の中心部に設置される長寿命冷陰極灯とを含む。手でスポットライトを持たせず、十分な光を必要とする使用者に対しては、スポットライトをテーブル或いは地面にしっかり設置して照明することができる。把持部11の後端には、使用者が暗い田園地域にいる或いは高速道路で車を修理するときに、SOS信号を発信する第二の光源を有する。
【００２９】
以上、本考案の好ましい実施形態を説明したが、本考案はこの実施形態に限定されず、本考案の趣旨を離脱しない限り、本考案に対するあらゆる変更は本考案の範囲に属する。
【図面の簡単な説明】
【００３０】
【図１】本考案のランプの側面図であり、第一の位置の把持部とハウジングを示す。
【図２】図1と反対側から見た側面図であり、第二の位置の把持部とハウジングを示す。
【図３】図1に示されるランプの断面図である。
【図４】図1に示されるランプの底面図である。
【図５】図1に示されるランプの正面図である。
【図６】図1に示されるランプの背面図である。
【図７】図1に示されるランプの側面図である。
【図８】図1に示されるランプの上面図である。
【図９】図1に示されるランプの斜視図である。
【図１０】図1に示されるランプの斜視図である。
【図１１】図2に示されるランプの斜視図である。
【図１２】図2に示されるランプの斜視図である。
【図１３】図2に示されるランプのスポットライトの構成図である。
【符号の説明】
【００３１】
1  ハウジング
2  電球
3  反射鏡
4  パネル
5  シールワッシャ
6  前端環状部
7  電源
8  回路部
10  スイッチ
11  把持部
12  接続軸
13  ハウジング・フランジ・ワッシャ
14  スイッチボタン
15  ばね
16  回転アーム
17  遮蔽部
18  スロット
19  スポットライト
20  接続部
21  ガイド
22  接続軸
24  ギアの歯
25  接触ギア
26  反射鏡
28  遮光部
29  パネル
30  冷陰極灯
31  電球
32  反射鏡
33  回路部
34  フロント・パネル
35  前端環状部
36  電池箱
38  外枠
【図１】
0003114446.tif 000003
【図２】
0003114446.tif 000004
【図３】
0003114446.tif 000005
【図４】
0003114446.tif 000006
【図５】
0003114446.tif 000007
【図６】
0003114446.tif 000008
【図７】
0003114446.tif 000009
【図８】
0003114446.tif 000010
【図９】
0003114446.tif 000011
【図１０】
0003114446.tif 000012
【図１１】
0003114446.tif 000013
【図１２】
0003114446.tif 000014
【図１３】
0003114446.tif 000015